(57)【要約】【課題】  手書き入力を行うユーザの視点を大きく移動させることなく、手書き文字の認識結果を提示する技術を提供することを目的とする。【解決手段】  手書き入力部から軌跡を入力する入力手段と、前記入力手段により入力された軌跡に基づいて、文字または図形に相当する軌跡を認識する文字認識手段と、前記入力手段により入力された軌跡を開始画像とし、前記文字認識手段により認識された軌跡を終了画像とする動画像を生成して、表示部に出力する出力手段とを備える。【選択図】  図２
2010108377.tif 000002
【特許請求の範囲】
【請求項１】
手書き入力部から軌跡を入力する入力手段と、
前記入力手段により入力された軌跡に基づいて、文字または図形に相当する軌跡を認識する文字認識手段と、
前記入力手段により入力された軌跡を開始画像とし、前記文字認識手段により認識された軌跡を終了画像とする動画像を生成して、表示部に出力する出力手段とを備える手書き文字認識装置。
【請求項２】
前記文字認識手段は複数の認識結果を取得し、
前記出力手段は、前記入力手段により入力された軌跡を開始画像とし、前記認識結果の第１の候補に相当する軌跡を終了画像とする動画像を生成して、表示部に出力することを特徴とする請求項１に記載の手書き文字認識装置。
【請求項３】
前記出力手段は、前記入力手段により入力された軌跡を開始画像とし、前記認識結果の第１の候補に相当する軌跡を終了画像とする動画像を出力している間に、所定の指示を受け取ることにより、前記動画像の出力の代わりに、前記入力手段により入力された軌跡を開始画像とし、認識結果の第２の候補に相当する軌跡を終了画像とする動画像を出力することを特徴とする請求項２に記載の手書き文字認識装置。
【請求項４】
前記出力手段は、前記文字認識手段による認識結果に基づいて、前記動画像の出力時間を決定することを特徴とする請求項１に記載の手書き文字認識装置。
【請求項５】
手書き入力部および表示部に接続する手書き文字認識装置の制御方法であって、
手書き入力部から軌跡を入力する入力工程と、
前記入力手段により入力された軌跡に基づいて、文字または図形に相当する軌跡を認識する文字認識工程と、
前記入力された軌跡を開始画像とし、前記認識された軌跡を終了画像とする動画像を生成して、表示部に出力する出力工程とを備える制御方法。
【請求項６】
コンピュータに読み込ませて実行させることで、前記コンピュータを、請求項５に記載の手書き文字認識装置として機能させるコンピュータプログラム。
【請求項７】
請求項６に記載のコンピュータプログラムを記憶したことを特徴とするコンピュータ可読記憶媒体。
【発明の詳細な説明】
【技術分野】
【０００１】
本発明は、ユーザが入力した手書き文字や図形を認識する技術に関するものである。
【背景技術】
【０００２】
従来、手書き文字認識という技術が存在する。これは、スタイラスやマウスあるいはユーザ自身の指を用い、機器に対し文字または図形の軌跡を入力し、機器がこれを文字や図形として認識する技術である。
【０００３】
この技術は、キーボード等を搭載できない小型機器（携帯電話やＰＤＡ）や、キーボードの操作に不慣れなユーザを対象とした機器（公共施設の検索システムなど）で相性が良い。
【０００４】
手書き文字認識は、一般的に次の手法で実現する。まず、入力された軌跡を特定パラメータの列（以後、入力パタン）に変換する。そして同じように変換された認識対象の文字あるいは図形のセット（以後、標準パタン）と、入力パタンとを、例えば公知のＤｙｎａｍｉｃ  Ｐｒｏｇｒａｍｍｉｎｇ等のマッチング技術を用いて比較する。そして、入力パタンと相関度の高い標準パタンを複数個抽出し、その文字あるいは図形を認識結果として提示する。
【０００５】
従来の手書き文字認識においては、入力軌跡がどの文字または図形に認識されたかを、機器におけるＧｒａｐｈｉｃａｌ  Ｕｓｅｒ  Ｉｎｔｅｒｆａｃｅ（以後ＧＵＩ）上に提示することが一般的である。
【０００６】
従来、文字認識の結果を提示する方法としては、例えば、以下の方法が存在する。
方法１：ＧＵＩ上に認識結果の提示エリアを設け、そこに認識結果を提示する。
方法２：入力軌跡を認識結果に置き換えて提示する。
方法３：入力軌跡の近傍に認識結果を提示する。
【０００７】
図１において、画面１０１は方法１を実行する様子を示し、画面１０２は方法２を実行する様子を示し、画面１０３は方法３を実行する様子を示したものである。
【０００８】
画面１０１では、入力軌跡１０４と認識結果の提示エリア１０５が離れている。このような場合には、ユーザの視点が移動しなければならないので不便である。
【０００９】
画面１０２では、入力軌跡が認識結果に瞬時に置き換わってしまう。よって、誤認識に基づいて置き換わった認識結果を見たユーザは、誤認識の元になった入力軌跡が殆ど見えないため困惑する。
【００１０】
画面１０３では、ユーザの入力軌跡と認識結果１０６が同時に提示されるので、画面内が混雑して見辛い。
【特許文献１】特開２００３−２０８５６公報
【特許文献２】特開平１１−２５２１公報
【特許文献３】特開平４−２８０３８９公報
【発明の開示】
【発明が解決しようとする課題】
【００１１】
本発明は上記従来例に鑑みて成されたものであり、手書き入力を行うユーザの視点を大きく移動させることなく、手書き文字の認識結果を提示する技術を提供することを目的とする。
【課題を解決するための手段】
【００１２】
上記目的を達成するために、本発明の文字認識装置によれば、手書き入力部から軌跡を入力する入力手段と、前記入力手段により入力された軌跡に基づいて、文字または図形に相当する軌跡を認識する文字認識手段と、前記入力手段により入力された軌跡を開始画像とし、前記文字認識手段により認識された軌跡を終了画像とする動画像を生成して、表示部に出力する出力手段とを備えることを特徴とする。
【発明の効果】
【００１３】
上記構成によれば、手書き入力を行うユーザの視点を大きく移動させることなく、手書き文字の認識結果を提示できる。
【発明を実施するための最良の形態】
【００１４】
（実施例１）
以下、添付図面に従って、本発明にかかる実施形態を詳細に説明する。
【００１５】
図２は、本発明の適用可能な手書き文字認識装置の機能を示すブロック図である。
２０７は、マウス、スタイラスペン、タッチパネル等の入力部である。
２０１は、手書き文字認識装置であり、上記入力部２０７と接続している。
２０８は、液晶ディスプレイ等の表示部である。なお表示部２０８がタッチパネル型のディスプレイである場合には、入力部２０７と表示部２０８は、同一の機器、もしくは入力機能と表示機能を備えた一体型機器であると理解できる。
【００１６】
入力部２０７でユーザによって入力された軌跡（入力軌跡）を示す情報は、手書き文字認識装置２０１に入力され、入力軌跡取り込み部２０２に入力される。
【００１７】
入力軌跡取り込み部２０２に取り込まれた文字あるいは図形を示す入力軌跡は、さらに入力軌跡提示部２０３にも送られる。更に、提示部２０３から表示部２０８にも送られ表示部上に入力軌跡に相当する画像が表示される。この表示により、ユーザは入力した文字あるいは図形の軌跡が如何なるものか確認できる。
【００１８】
また、入力軌跡取り込み部２０２を介して取り込まれた入力軌跡を示す情報は、手書き文字認識部２０４にも送られる。手書き文字認識部２０４は、上記入力された軌跡を解析することによって、この軌跡に対応する文字または図形に相当する軌跡を認識する。なお、この文字認識技術は公知技術であるため、詳細な説明を省略する。
【００１９】
手書き文字認識部２０４により認識された結果は、モーフィング生成部２０５に送られる。手書き文字認識部２０４では、上記入力軌跡を示す画像を開始画像とし、手書き文字認識の認識結果を終了画像とする“モーフィング”を生成する。
【００２０】
図４は、モーフィングを簡単に説明するための図である。モーフィングとは、対象Ａ（開始画像Ａ）から対象Ｂ（終了画像Ｂ）へ、少しずつ画像を変化させるアニメーション（動画像）のことである。このようなアニメーションまたはこのようなアニメーションを表示する作業のことを、「ＡからＢへのモーフィング」と呼ぶこととする。
【００２１】
例えば、対象Ａとして図４の４０１があり、対象Ｂとして４０２があったとする。この場合、この対象画像間のモーフィングは４０３のようになる。
【００２２】
なお、対象Ａから対象Ｂへのモーフィングを生成する手法は公知であるので、詳細な説明は省略するが、一般的には次に示すステップにより実現する。
ステップ１：軌跡の正規化
ステップ２：特徴点の抽出
ステップ３：特徴点の移動
例えば、図４に示すように、ユーザが入力した「あ」を表す入力軌跡４０１から認識結果である「あ」４０２へのモーフィングを行う場合を考える。
【００２３】
この場合、まず、入力軌跡の正規化を行う。入力軌跡が正規化されたものが４０４である。この正規化は、一般的には平滑化を行うことであり、手の震えなどによる無駄な軌跡を除去する効果がある。
【００２４】
次に、正規化された入力軌跡「あ」４０４の特徴点と、認識結果である「あ」４０２の特徴点とを抽出する。この特徴点とは、線分の始端や終端、他の線分と交差する点など、その図形の特徴となる点のことである。そして、正規化された入力軌跡の特徴点４０５を、対応する認識結果の特徴点へ一定時間（例えば１０００ｍｓ）で移動させる経路を計算する。
【００２５】
そして、５０ｍｓ毎の特徴点の位置を算出し、その特徴点を満足させる軌跡を生成する。
【００２６】
このように生成された合計２０枚の軌跡を、５０ｍｓ毎に表示させることで、ユーザには入力軌跡４０１が認識結果４０２へ１０００ｍｓかけて、徐々に変化するように見える。
【００２７】
このような手法で生成されたモーフィングは、モーフィング提示部２０６に送られる。そして表示部２０８にモーフィング（アニメーション）が表示される。
【００２８】
図３は、手書き文字認識装置２０１の動作手順を示すフローチャートである。
【００２９】
また、図５は、手書き文字認識装置２０１を組み込んだ文献検索装置のＧＵＩの表示例を示したものである。
【００３０】
なお、この文献検索装置とは、図２に示す全ての構成およびメインＣＰＵなどからなる装置またはシステムと考えて良い。また、この文献検索装置は、下記の文献検索を行うために必要な種々の機能を備えているが、詳細な説明は省略する。
【００３１】
以下では、手書き文字認識装置２０１を文献の検索に利用した例を説明する。
【００３２】
文献検索装置が起動すると、図３で示した手順に基づいて、メインＣＰＵが文献検索装置を制御する。同時に、図５（ａ）に示すようなＧＵＩ５０１が表示される。このＧＵＩには、文字入力エリア５０２があり、ここにユーザが文献の先頭文字を手書き入力する。なお、ＧＵＩ５０１は、図２の表示部２０８に表示されているとする。
【００３３】
文献検索装置（入力部２０７）は、まず、一定時間分の入力軌跡を取り込む（Ｓ３０１）。そして取り込んだ入力軌跡を表示部２０８に表示させる（Ｓ３０２）。
【００３４】
そして、入力が終了したかを判定し（Ｓ３０３）、入力が終了するまで入力軌跡の取り込みと表示を繰り返し行う。
【００３５】
本実施例において、入力の終了は、ユーザからの入力が一定時間（例えば５００ｍｓ）以上無かった場合に、入力が終了したと見なす。
【００３６】
図５の（ｂ）は、ユーザの入力が終了した時点で、表示部２０８に表示するＧＵＩ画面の例である。
【００３７】
入力軌跡の取り込みが終了すると、手書き文字認識部２０４は、その入力軌跡を手書き文字認識する（Ｓ３０４）。手書き文字認識部２０４は、その確からしさに応じて、第１番目から第Ｎ番目までに相当する複数の認識結果を取得する。そして、内部変数Ｉに１を代入する（Ｓ３０５）。このＩ＝１は第１番目の認識結果であることを意味する。そして、入力軌跡からＩ番目の認識結果へのモーフィングを生成する（Ｓ３０６）。
【００３８】
手書き文字認識は、一般的に複数の認識結果を尤度順に出力する。従って、１番目の認識結果とは、最も尤度が高い認識結果であり、入力軌跡が示す認識結果として最も可能性が高い候補である。
【００３９】
入力軌跡からＩ番目の認識結果へのモーフィングが生成されると、一定時間分のモーフィングを、表示部２０８上に表示する（Ｓ３０７）。
【００４０】
ユーザである人間の目は、秒間２０枚以上の静止画を見せられると、それを動画として認識する性質があるため、例えば５０ｍｓごとのモーフィングを表示部２０８上に表示する。
【００４１】
図５の（ｃ）はモーフィングを表示中のＧＵＩの例である。そして、このモーフィングの表示が完了したかを判定（Ｓ３０８）し、完了した場合には図３の手順による制御を終了する。
【００４２】
ここで、手書き文字認識装置２０１の役割は、主に、上述した入力軌跡から認識結果へのモーフィングを表示させることである。この認識結果の利用は、本実施例では文献検索装置が行う。文献検索装置は、この認識結果を利用して、図５の（ｄ）のような認識結果文字（５０３）を先頭に有する文献リスト（５０４）を表示する。
【００４３】
以上により、手書き文字認識装置２０１は、入力軌跡から認識結果へのモーフィングを表示する。これにより、少ない表示スペース内で、手書き入力を行うユーザの視点を移動させることなく、手書き文字の認識結果を提示する技術を提供することができる。
【００４４】
（実施例２）
上記実施例１では、入力軌跡から認識結果へのモーフィングを表示する例を示したが、実施例１に加えて、モーフィング中にユーザによる所定の指示を受け付ける機能を備えることも有効である。この所定の指示とは、モーフィングをキャンセルする指示のことである。
【００４５】
ここでは、図６を用い、モーフィングの表示中にユーザによる所定の指示を受け付ける例を説明する。
【００４６】
図６は、上述した図２に、後述するモーフィングキャンセル指示取り込み部６０１を追加したものである。
【００４７】
このモーフィングキャンセル指示取り込み部（６０１）の存在により、ユーザからのモーフィングキャンセル指示を取り込むことが可能である。
【００４８】
モーフィングキャンセル指示とは、モーフィングの最終形体である認識結果（もしくは最終形体として予想される認識結果）が、ユーザが意図したものではないことを文献検索装置（手書き文字認識装置２０１）に知らせるための指示である。
【００４９】
文献検索装置（手書き文字認識装置２０１）は上記モーフィングキャンセル指示を受けると、手書き文字認識部２０４を追加的に制御し、現在とは別の認識結果に修正するためのモーフィング動作を開始させる。
【００５０】
以下、本実施例の動作を図７を用いて説明するが、図７において、図３と同じ処理について同じ番号を付与している。
【００５１】
ここでは、手書き文字認識装置２０１を、図９に示すようなＧＵＩ画面を持つ画像管理装置（画像管理アプリケーション）に組み込んだ例として説明する。
【００５２】
なお、この画像管理装置も実施例１で説明した文献検索装置と同じく、図２に示す全ての構成およびメインＣＰＵなどからなる装置またはシステムと考えて良い。また、この画像管理装置は、下記の画像管理を行うために必要な種々の機能を備えているが、詳細な説明は省略する。
【００５３】
上述した画像管理装置が起動すると、図７で示した手順に基づいて、メインＣＰＵが画像管理装置を制御する。このとき、図９（ａ）に示すようなＧＵＩ９０１を表示部２０８に表示させる。
【００５４】
画像管理装置は、このＧＵＩ９０１を介して、装置内で保存、管理している画像データのサムネイルを一覧表示することが可能である。
【００５５】
また、マウスやスタイラス、あるいは指でタッチパネル（表示部２０８）にタッチすることで、特定の画像を選択状態にすることが可能である。選択された画像９０２は、選択中であることがわかるように、そのサムネイルの周囲の色を変化させる。
【００５６】
さらに、ユーザは特定の図形を手書きすることで、選択中の画像に対して操作を行うことが可能である。
【００５７】
本実施例において、画像管理装置は、その内部に、図８に示すようなコマンドテーブルを保持する。ここでは、○は画像の削除を指示する意味であり、□は画像の転送を支持する意味であり、△は画像を印刷する意味である。例えば、図９の画面において、ユーザにより「○」を手書き入力すれば、選択中の画像を削除することができる。
【００５８】
上記コマンドテーブルにある特定の図形を入力することで、対応する操作を実行させることができる。
【００５９】
以下、図７の手順に基づき動作する一例を説明する。
【００６０】
まず、画像管理装置は、表示部２０８（タッチパネル）から、一定時間分の入力軌跡を取り込む（Ｓ３０１）。そして取り込んだ入力軌跡を表示部２０８に表示する（Ｓ３０２）。
【００６１】
そして、タッチパネルからの入力が終了したかを判定し（Ｓ３０３）、入力が終了するまで入力軌跡の取り込みと軌跡の表示を繰り返し行う。
【００６２】
タッチパネルからの入力の終了は、例えば、ユーザが５００ｍｓ以上、タッチパネルにタッチしなかった場合に終了したとみなす。
【００６３】
図９の（ｂ）は、ユーザの入力が終了した時点のＧＵＩ画面の例である。ここでは、ユーザは「△」（選択された画像の印刷指示）を入力する意図で、ユーザがこのような入力軌跡９０３を入力した場合を説明する。
【００６４】
入力軌跡の取り込みが終了すると、その入力軌跡を手書き文字認識する（Ｓ３０４）。そして、内部変数Ｉに１を代入する（Ｓ３０５）。そして、入力軌跡からＩ番目（この場合には１）の認識結果へのモーフィングを生成する（Ｓ３０６）。
【００６５】
入力軌跡からＩ番目の認識結果へのモーフィングが生成されると、その一定時間分のモーフィングをユーザに提示する（Ｓ３０７）。そして、ユーザからモーフィングのキャンセル指示があったかを判定する（Ｓ７０１）。この指示は、キーボードやマウスの何らかのボタン操作でもよいし、特定の特徴を持つスタイラス入力でもよい。
【００６６】
このようなモーフィングのキャンセル指示が無い限り、モーフィングを表示部２０８に表示し続ける。
【００６７】
ここでの例示では、ユーザが「△」の意図で入力した図９の（ｂ）の入力軌跡（９０３）に対して、本手書き文字装置が１番目の認識結果（第１の候補）として「○」を取得したものとする。
【００６８】
例えば、図９の（ｃ）と（ｄ）のように、入力軌跡（９０３）から「○」へのモーフィング（９０４）を生成し、表示部２０８に表示している場合を考える。なお、図９の（ｃ）と（ｄ）のモーフィング９０４は、同図（ｂ）の入力軌跡「△」から認識結果「○」へ遷移する途中の軌跡を示している。
【００６９】
このモーフィングを表示中に、図１０の（ａ）のようなモーフィングを塗り潰すような入力（１００１）が行われた場合、ユーザからモーフィングのキャンセル指示、即ち認識結果のキャンセル指示であると判断できる。
【００７０】
入力１００１が行われた場合、図７のＳ７０２では、Ｉに１を加える。そして、入力軌跡からＩ番目の認識結果へのモーフィングを生成する処理（Ｓ３０６）に戻る。
【００７１】
なお、ここでＩに１を加えることは、現在の認識結果とは異なる次の認識結果を取り出すことに相当する。
【００７２】
これにより、入力軌跡から第２位の認識結果（第２の候補）へのモーフィングが、改めて、モーフィング提示部２０６から表示部２０８に提示されるようになる。
【００７３】
以下では、第２位の認識結果が「△」であった場合を説明する。即ち、第２位の認識結果がユーザの希望する指示に相当する。
【００７４】
この場合、図１０の（ｂ）と（ｃ）のように、入力軌跡から「△」へ遷移するモーフィング（１００２）が、改めて、表示部２０８に表示される。
【００７５】
最後に、このモーフィングの出力が完了したかを判定（Ｓ３０８）し、もし、出力が完了した場合には、図７の処理フローを終了する。
【００７６】
本実施例における画像管理装置では、上記モーフィングの更新が行われた後、最終的な認識結果が「△」になる。よって、この装置は、表示部２０８において、図１０の（ｄ）のような画像印刷ダイアログ１００３を表示し、「△」に対応するコマンドである画像印刷を実行する。
【００７７】
以上により、入力軌跡から認識結果へのモーフィング中に、そのモーフィングをキャンセル、更新することができる。よって、ユーザの希望しない認識結果にモーフィングが遷移している場合には、次の認識結果へ遷移するモーフィングへ移行でき、ユーザにとって非常に便利である。
【００７８】
なお、上記説明では、モーフィングをキャンセルした際に、ユーザの入力軌跡を開始画像として、この開始画像から第２位の認識結果へのモーフィングを、改めて提示した。
【００７９】
しかしながら、モーフィングをキャンセルした時点の軌跡（変異している途中のモーフィング）を開始画像とし、その画像から新しい認識結果（第２位の認識結果）へのモーフィングを表示させても有効である。例えば、図１１の（ａ）は、モーフィングをキャンセル指示（１１０１）した時点のＧＵＩであるが、キャンセルを指示した時点の入力軌跡を表示した状態（ａ）から次の表示を行う。即ち、上記状態（ａ）から（ｂ）へ、（ｂ）から（ｃ）へ、（ｂ）から（ｄ）に示される第２位の認識結果「△」へ、モーフィング１１０２が表示される。
【００８０】
以上により、モーフィングをキャンセルした際に、その時点の軌跡から連続的に別の認識結果の軌跡へと変化させることができる。
【００８１】
なお、上記実施例では、モーフィングにかかる時間については限定していないが、モーフィングを表示部２０８に出力する出力時間を、種々の要素に応じて適切に制御することが効果的である。
【００８２】
例えば、手書き文字認識の各認識結果には、尤度という値を算出することが可能である。尤度が高いほど、正しい認識結果である可能性が高い。よって、この尤度に応じて、入力軌跡からその認識結果へのモーフィングにかかる時間を変化させてもよい。即ち、正しい認識結果の可能性があるほど、高速にモーフィングにおける遷移表示をすることで、認識結果を早く表示でき、ユーザにとっての煩わしさを回避できる。
【００８３】
例えば、ユーザの入力軌跡に基づいて、手書き文字認識部２０４が、以下のような認識結果を出力したとする。なお、（  ）内はその尤度を示している。
認識結果「○」（０．８５）
この場合、下記の式により、上記認識結果へ遷移するモーフィング時間を決定する。
モーフィングにかかる時間（ｍｓ）＝２０００−１０００＊尤度
即ち、認識結果１へは１１５０ｍｓが算出されるので、この時間を掛けて○へ変異するモーフィングを表示することになる。また、もし、認識結果「△」（０．７６）の場合には、１２４０ｍｓの時間を掛けて△へ変異するモーフィングを表示することになる。また、もし、認識結果「□」（０．６２）の場合には、１３８０ｍｓの時間を掛けて□へ変異するモーフィングを表示することになる。
【００８４】
これにより、尤度が高く、正解である可能性が高い認識結果へのモーフィングは短時間で行われるようになる。逆に、間違っている可能性が高い認識結果へのモーフィングは時間をかけて行われるようになる。
【００８５】
上述したように、モーフィングの表示中にユーザが認識結果をキャンセルできる可能性を考えると、間違っている可能性が高い認識結果への変異は時間をかけたほうが良い。これにより、モーフィングの表示中にユーザの適切な判断をしやすくなる。
【００８６】
なお、ここで示した数式は一例である。数式で用いるパラメータは、手書き文字認識の認識結果として得られる情報であるならば、尤度でなくてもよい。
【００８７】
例えば、認識結果の順位、認識結果の文字列長、次の認識結果との尤度差などからモーフィングの出力時間を決定してもよい。
【００８８】
なお、本発明は、上述した各実施例の機能を実現するソフトウェアのプログラムコード（コンピュータプログラム）を記憶した記憶媒体（コンピュータ可読記憶媒体）から、コンピュータ等の装置がプログラムコードを読み出して実行することによっても達成される。
【００８９】
この場合、記憶媒体から読み出されたプログラムコード自体が上記実施例の機能を実現することになり、そのプログラムコードを記憶した記憶媒体は本発明に相当する。
【００９０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９１】
また、コンピュータ等が読出したプログラムコードに基づき、コンピュータ上で稼働しているオペレーティングシステムなどが実際の処理の一部または全部を行うことによって、各実施例の機能を実現する場合も、本発明の範疇に含まれる。
【００９２】
また、上記プログラムコードが、コンピュータに挿入された機能拡張ボードやコンピュータに接続された機能拡張ユニットに備わるメモリに書込まれた後、そのコードに基づき各実施例の機能を実現する場合も、本発明の範疇に含まれる。
【図面の簡単な説明】
【００９３】
【図１】手書き文字の認識結果を表示する一例を示す図
【図２】手書き文字認識装置の機能を示すブロック図
【図３】手書き文字認識装置の動作手順を示すフローチャート
【図４】モーフィングを簡単に説明するための図
【図５】ＧＵＩの一例を示す図
【図６】手書き文字認識装置の機能を示すブロック図
【図７】手書き文字認識装置の動作手順を示すフローチャート
【図８】コマンドテーブルの一例を示す図
【図９】ＧＵＩの一例を示す図
【図１０】ＧＵＩの一例を示す図
【図１１】ＧＵＩの一例を示す図
【符号の説明】
【００９４】
２０１  手書き文字認識装置
２０７  入力部（マウス、スタイラスペン、タッチパネル等）
２０８  表示部（液晶ディスプレイ等）
【図１】
2010108377.tif 000003
【図２】
2010108377.tif 000004
【図３】
2010108377.tif 000005
【図４】
2010108377.tif 000006
【図５】
2010108377.tif 000007
【図６】
2010108377.tif 000008
【図７】
2010108377.tif 000009
【図８】
2010108377.tif 000010
【図９】
2010108377.tif 000011
【図１０】
2010108377.tif 000012
【図１１】
2010108377.tif 000013